Podtech/llm-jp-corpus-v4-ja_patent huggingface dataset:
(57)【要約】      （修正有）【課題】構造が簡易で使用し易く、また分別の必要なく廃棄出来る卓上カレンダーを提供する。【解決手段】複数枚のカレンダーを保持する本体１を折り線６〜９で折り、背板２の中央下方に設けられた凹形の切り込み５に対して、本体正面の下辺より持ち上げた凸形紙片を凹形の中に差し込み、２枚の紙片を一旦平らな状態に接続させ、次に凸形紙片を下方にスライドさせる事によりカレンダーを保持している本体の後部に斜めに固定された脚が形成され、凸形紙片を上方にスライドさせる事により脚が平らになる構造を有する。【選択図】図１
0003232549.tif 000002
【実用新案登録請求の範囲】
【請求項１】
一枚の板紙を設計の形に打ち抜き、卓上カレンダーとして使用する際後面の脚がワンタッチで出来上がる形状を有するリング無しワンタッチ脚付き卓上カレンダー。
【考案の詳細な説明】
【技術分野】
【０００１】  本考案はカレンダーの回転部分にリングを用いず、また後面の脚がワンタッチで形成される設計のものである。
【背景技術】
【０００２】  従来紙製卓上カレンダーの多くは、カレンダーを本体と一体化する手段として、カレンダー上部及び本体の上部に複数の小穴を開け、針金または樹脂のリングを用い、小穴を介して一体化する構造となっている。
【考案の概要】
【考案が解決しようとする課題】
【０００３】  紙製卓上カレンダーの多くは針金または樹脂のリングを用いているため、廃棄の際各々を分別する手間を要する。また卓上に立てる際の脚は説明図を見て組み立てなければならない。
【課題を解決するための手段】
【０００４】  本考案は一枚の板紙を打ち抜いただけであり、針金または樹脂のリングを用いず紙で出来た縁内にカレンダーを挿入する構造のものである。また卓上に立てる際、後面の脚は組み立てをせずワンタッチで立体となる簡便な構造である。
【考案の効果】
【０００５】  本考案は既に組み立てられた卓上カレンダーである為、組み立て説明図を見る事なく誰でも簡単に即刻使用出来るものである。【０００６】  本考案はカレンダー複数枚を本体の正面縁の中へ右側からスライドして挿入している為、月毎の差し替え作業が簡単である。【０００７】  本考案のカレンダーに筆記する作業に於いても後面の脚をワンタッチで素早く畳む事が出来机上へ平らに置いて筆記出来る。【０００８】  本考案を机上へ平らに置いて必要事項を筆記後、再び起立させる為の後面の脚はワンタッチで立てられる。【０００９】  本考案の正面即ちカレンダー複数数が入る部分は、カレンダーを押さえる為に左右及び下部にのみ縁を設け、敢えて天の縁を取り除いてある。故にカレンダーを大きく活用出来る。【００１０】  本考案は総て板紙で構成されており、分別の必要なく資源ごみとして廃棄出来る。【００１１】  本考案は、カレンダーの他に写真等のカード全般に対応出来るものである。
【図面の簡単な説明】
【００１２】
【図１】本考案の展開図である。
【図２】本考案の正面図である。
【図３】本考案の後面図である。
【図４】本考案の後面脚のスライドを示した図である。
【図５】本考案の机上使用例を示す側面図である。
【図６】本考案のカレンダー挿入図である。
【図７】本考案の机上使用例を示す正面からの斜視図である。
【図８】本考案の机上使用例を示す後面からの斜視図である。
【考案を実施するための形態】
【００１３】  以下、実施例を図面に基づいて説明する。
【実施例】
【００１４】  図３に示す様に本体の差込板４に背板２を重ね、互いが交わる部分に有る切込み５へ差込板４の先端を差し込んでその一部を背板２の上面に出しておく。考案を実施する際に図４に示す様に背板２と差込板４を反対方向に開く事により、差込板４の先端が切込み５に沿ってスライドして切込み５の平らな箇所まで移動する。そして図８に示す様に差込板４の先端がそこでしっかりと止まり更に切込み５の先端が差込板４を固定する。これを側面から見ると図５に示す様に鋭角な三角形が構成され机上に置いた際安定した脚となる。【００１５】  図５に示す様に三角形の脚が形成される事により、本考案の卓上カレンダーを机上に置いた際図７と図８に示す様に安定した形で自立する。次にカレンダーに筆記する場合は、図４に示す様に差込板４の下側を上に押し上げると切込み５に沿ってスライドさせるだけのワンタッチで図３に示す様に脚が畳まれた形状となり、机上に平らに置いてカレンダーに筆記出来る。【００１６】  カレンダーを差し替える際は、図６に示す様に本体の正面縁の中を右側からスライドさせるだけである。【００１７】  本考案は図１に示す様に一枚の板紙を打ち抜いた構造体である為、分別の必要無く廃棄出来る。
【符号の説明】
【００１８】１  本体
２  背板
３  中板
４  差込板
５  切込み
６  折り線
７  折り線
８  折り線
９  折り線
１０  縁
１１  縁
１２  折り線
１３  折り線
１４  折り線
１５  折り線
１６  カレンダー
【図１】
0003232549.tif 000003
【図２】
0003232549.tif 000004
【図３】
0003232549.tif 000005
【図４】
0003232549.tif 000006
【図５】
0003232549.tif 000007
【図６】
0003232549.tif 000008
【図７】
0003232549.tif 000009
【図８】
0003232549.tif 000010
【手続補正書】
【提出日】令和3年2月26日(2021.2.26)
【手続補正１】
【補正対象書類名】実用新案登録請求の範囲
【補正対象項目名】全文
【補正方法】変更
【補正の内容】
【実用新案登録請求の範囲】
【請求項１】
複数枚のカレンダーを保持する本体を折り線で折り、背板の中央下方に設けられた凹形の切り込みに対して、本体正面の下辺より持ち上げた凸形紙片を凹形の中に差し込み、２枚の紙片を一旦平らな状態に接続させ、次に凸形紙片を下方にスライドさせる事によりカレンダーを保持している本体の後部に斜めに固定された脚が形成され、凸形紙片を上方にスライドさせる事により脚が平らになる構造を有するリング無しワンタッチ脚付き卓上カレンダー。
(57)【要約】      （修正有）【課題】着脱が容易な介護用下着を提供する。【解決手段】前面６を、スライドファスナー５により開閉できるようにするとともに、スライダー５ｃを頭側５ａから脚側に移動させることにより前面６を閉じるようにし、脚側部に、上下方向に開閉できる股下部材９を設け、該股下部材９の閉状態を留め具１０ａにより保持できるようにし、前面６を閉じ、かつ、スライダー５ｃが脚側端に位置した状態において、股下部材９を閉じた際に、スライダー５ｃが股下部材９により外部から視認できないようにした。【選択図】図１
0003232544.tif 000002
【実用新案登録請求の範囲】
【請求項１】
前面を、スライドファスナーにより開閉できるようにするとともに、スライダーを頭側から脚側に移動させることにより前面を閉じるようにし、
脚側部に、上下方向に開閉できる股下部材を設け、該股下部材の閉状態を留め具により保持できるようにし、
前記前面を閉じ、かつ、前記スライダーが脚側端に位置した状態において、前記股下部材を閉じた際に、前記スライダーが前記股下部材により外部から視認できないようにしたことを特徴とする介護用下着。
【考案の詳細な説明】
【技術分野】
【０００１】
本考案は、介護用下着に関する。
【背景技術】
【０００２】
従来、介護をする際に、被介護者に対して着用させる下着として、容易に脱げないようにした介護用ロンパースが使用されている。
【考案の概要】
【考案が解決しようとする課題】
【０００３】
しかし、従来の介護用ロンパースは、その前面が開閉できないため、被介護者に対し介護用ロンパースを着脱する際に、手間を要する問題があった。
【０００４】
そこで、本考案は、着脱が容易な介護用下着を提供することを目的とするものである。  
【課題を解決するための手段】
【０００５】
前記の課題を解決するために、本考案は、前面を、スライドファスナーにより開閉できるようにするとともに、スライダーを頭側から脚側に移動させることにより前面を閉じるようにし、
脚側部に、上下方向に開閉できる股下部材を設け、該股下部材の閉状態を留め具により保持できるようにし、
前記前面を閉じ、かつ、前記スライダーが脚側端に位置した状態において、前記股下部材を閉じた際に、前記スライダーが前記股下部材により外部から視認できないようにしたことを特徴とするものである。
【考案の効果】
【０００６】
本考案によれば、前面を、スライドファスナーにより開閉できるようにし、上下方向に開閉できる股下部材を設け、この股下部材の閉状態を留め具により保持できるようにしたことにより、被介護者に対し容易に介護用下着を着脱することができる。
【０００７】
また、前面を、ファスナーにより閉じた状態において、股下部材を閉じた際に、スライダーが外部から視認できないようにしたことにより、被介護者が、スライドファスナーを不用意に開けてしまうことを防止できる。
【図面の簡単な説明】
【０００８】
【図１】本考案の実施例１に係る介護用ロンパースの着用時の状態を示す正面図。
【図２】図１の非着用時の状態を示す正面図。
【図３】本考案の実施例２に係る介護用ロンパースの着用時の状態を示す正面図。
【考案を実施するための形態】
【０００９】
本考案の介護用下着は、介護用ロンパース、介護用サロペット等の介護に用いられる下着に適用することができ、以下の実施例においては、本考案の介護用下着を介護用ロンパースに適用したものを、図に基づいて説明する。
【００１０】
［実施例１］
図１は、本考案の実施例１に係る介護用ロンパース１の着用時の状態を示す正面図、図２は、介護用ロンパース１の非着用時の状態を示す正面図である。
【００１１】
介護用ロンパース１の左右の前身頃２，３は、中央部において、頭側端５ａから、脚側端５ｂの全体に亘って設けたスライドファスナー５により左右方向に開閉できるようになっている。前身頃２，３の後部には後身頃７が設けられ、前身頃２，３と後身頃７は一体に形成されている。前身頃２，３と後身頃７は、任意の生地で構成することができ、好ましくは、伸縮性、通気性を有する生地で構成することが好ましい。
【００１２】
スライドファスナー５は、図１に示すように、スライダー５ｃを頭側から脚側に移動させることにより前面６を閉じることができるようになっている。
【００１３】
後身頃７の脚側端部には股下部材９の一端が取付けられ、股下部材９の他端に設けた留め具１０ａにより、前身頃２，３
の脚側端部に設けた留め具１０ｂに対して、着脱可能に係合できるようになっている。股下部材９は、任意の生地で構成することができ、好ましくは、伸縮性、通気性を有する生地で構成することが好ましい。これにより、股下部材９は上下方向に開閉できるようになっている。
本実施例では、留め具１０ａ，１０ｂとして、夫々スナップフィットの雄と雌を用いたが、ボタンとボタン孔等任意の着脱可能な係合部材を用いることができる。
【００１４】
介護用ロンパース１は、図１，図２に示すように、左右に一対の袖１１,１１を有し、袖１１,１１の長さは、長袖、半袖等任意に設定することができる。また、袖１１を設けないノースリーブ形状としてもよい。
【００１５】
介護用ロンパース１の前面６には、スライドファスナー５と股下部材９を開くことにより、図２に示すように、開口部１２が形成され、被介護者に対し、介護用ロンパース１を着せたり、脱がせたりすることが容易に行え、介護用ロンパース１の着脱時に、排泄物等が、被介護者に付着等することを抑制できる。
【００１６】
図１に示すように、スライドファスナー５を閉じた状態で、留め具１０ａ，１０ｂにより、股下部材９の他端を、前身頃２，３の脚側端部に係合することにより、股下部材９により、スライダー５ｃは外部から視認できないようになる。これにより、被介護者が、スライドファスナー５を不用意に開くことを防止できる。
【００１７】
［実施例２］
上記実施例１においては、図１，２に示すように、股下部材９に脚挿通部を設けなかったが、本実施例２の介護用ロンパース２１は、図３に示すように、股下部材９の左右に、脚挿通部２２を設けたものである。
【００１８】
各脚挿通部２２の内股側は、図３に示すように、留め具２３により開閉できるようになっている。本実施例では、留め具２３としてスナップフィットを用いたが、ボタンとボタン孔等任意の着脱可能な係合部材を用いることができる。
【００１９】
なお、脚挿通部２２の長さは、任意に設定することができる。
【００２０】
その他の構造は、上記実施例１と同様であるのでその説明を省略する。
【００２１】
本実施例２においても、上記実施例１と同様の作用、効果を奏する。
【符号の説明】
【００２２】
１，２１  介護用ロンパース（介護用下着）
５  スライドファスナー
５ｃ  スライダー
６  前面
９  股下部材
１０ａ，１０ｂ，２３  留め具
【図１】
0003232544.tif 000003
【図２】
0003232544.tif 000004
【図３】
0003232544.tif 000005
(57)【要約】      （修正有）【課題】草刈りや除雪をするとき、露出した灯油配管の破損を防止する灯油配管のカバーを提供する。【解決手段】灯油配管８のカバー１は、中空で底面のない半円錐状である。建物の基礎や壁を貫通して引き込まれている外に露出した灯油配管８にカバー１を設ける。【選択図】図３
0003232551.tif 000002
【実用新案登録請求の範囲】
【請求項１】
露出した灯油配管にカバーを設ける。
【考案の詳細な説明】
【技術分野】
【０００１】  本考案は、建物の基礎や壁の外に露出した灯油配管のカバーに関するものである。
【背景技術】
【０００２】  従来、建物の基礎や壁の外に露出した灯油配管にカバーはなかった。
【考案の開示】
【考案が解決しようとする課題】
【０００３】  従来は次のような欠点があった。
従来、建物の基礎際に草が生えると草刈りをするとき、草で灯油配管が隠れてしまい、カマや草刈り機で外のホームタンクから建物の基礎を貫通して引き込まれている露出した灯油配管を破損させてしまうことがあった。
また、建物の基礎際に雪が積もると、雪で灯油配管が隠れてしまい、除雪するとき露出した灯油配管を破損させてしまうことがあった。
また、冬、屋根からの氷柱や氷の塊が落ちたとき、直接、露出した灯油配管にあたり、灯油配管を破損させてしまうことがあった。
本考案は、上記の欠点を除くためになされたものである。
【課題を解決するための手段】
【０００４】  建物の基礎や壁を貫通して引き込まれている外に露出した灯油配管にカバーを設ける。
本考案は、以上のような構成により問題点を解決している。
【考案の効果】
【０００５】  カバーがあるので草刈りや除雪をするとき、直接、灯油配管にあたることがない。
また、カバーがあるので冬、屋根からの氷柱や氷の塊が落ちたとき、直接、灯油配管にあたることがない。
カバーがあるので、カバーを見ることで灯油配管の位置が認識しやすい。
【考案を実施するための最良の形態】
【０００６】  以下、本考案の実施例について説明する。
建物の基礎９や壁１０を貫通して引き込まれている外に露出した灯油配管８にカバー１を設ける。
カバー１は基礎９を貫通して引き込まれている外に露出した灯油配管８を守るためのものである。
カバー１はコーキングなどを塗って固定してもよい。
カバー１は実施例では、図４においてカバー１の背面部６にコーキングなどを塗り、図１、図２において基礎９に固定している。
図１、図２、図３、図８、図９において、コーキングなどは省略している。
図１、図２、図３、図８、図９において、背面部６にネジ穴７を設けている。
カバー１の下部に土や砂利などを被せて固定してもよい。
カバー１の底部外周にツバを設け、ツバに穴を設けて杭などで固定してもよい。
カバー１の底部外周にツバを設け、ツバの裏側にコーキングを塗って固定してもよい。
カバー１の底部外周にツバを設け、ツバの上に土や砂利などを乗せて固定してもよい。
カバー２は自重で動きにくいもので、コンクリート、金属、焼き物など重量のあるもので基礎９を貫通して引き込まれている外に露出した灯油配管５を守るためのものである。
カバー３は壁１０を貫通して引き込まれている外に露出した灯油配管８を守るためのもので長いものとしている。
カバー２は実施例では、図５、図６、図７において自重で動きにくいものとしている。
カバー２は実施例では、図６において建物の基礎に接しても隙間ができるようになっており、カバー２の通気部４と建物の基礎９との隙間が通気口となる。
カバー３は実施例では、図８、図９、図１０において壁１０を貫通して引き込まれている外に露出した灯油配管８をカバーするので長いものとしている。
カバーは網目状のものにしてもよい。
カバーは蛇腹状にしてもよく、蛇腹状であると凹凸があっても対応できる。
カバーの材質はプラスチック、ゴム、コンクリート、金属、焼き物などいろいろにしてもよい。
通気部４は通気するためのものである。
排水部５は排水をするためのものである。
背面部６は基礎９や壁１０に接する部分であるがコーキングなどを塗って固定するための部分でもある。
カバーの色は赤やオレンジなどにすると夏でも冬でも四季を通じて確認しやすくすることができる。
形状、大きさ、長さ、厚み、重量、材質、色をいろいろにすることにより、多種多様にすることができる。
【図面の簡単な説明】
【０００７】
【図１】本考案の斜視図である。
【図２】本考案の側面図である。
【図３】本考案の側面の断面図である。
【図４】本考案の背面からの斜視図である。
【図５】本考案の斜視図である。
【図６】本考案の側面図である。
【図７】本考案の背面からの斜視図である。
【図８】本考案の斜視図である。
【図９】本考案の側面の断面図である。
【図１０】本考案の背面からの斜視図である。    各図の各部において主要部以外は省略している。
各図の各部において波線以外の部分は省略している。
各図の各部においてコーキングなどは省略している。
【符号の説明】
【０００８】  １    カバー
２    カバー
３    カバー
４    通気部
５    排水部
６    背面部
７    ネジ穴
８    灯油配管
９    基礎
１０  壁
１１  地面
【図１】
0003232551.tif 000003
【図２】
0003232551.tif 000004
【図３】
0003232551.tif 000005
【図４】
0003232551.tif 000006
【図５】
0003232551.tif 000007
【図６】
0003232551.tif 000008
【図７】
0003232551.tif 000009
【図８】
0003232551.tif 000010
【図９】
0003232551.tif 000011
【図１０】
0003232551.tif 000012
【手続補正書】
【提出日】令和3年2月15日(2021.2.15)
【手続補正１】
【補正対象書類名】実用新案登録請求の範囲
【補正対象項目名】全文
【補正方法】変更
【補正の内容】
【実用新案登録請求の範囲】
【請求項１】
中空で底面のない半円錐状の灯油配管のカバー。
(57)【要約】      （修正有）【課題】針本体の両端を尖らせることにより刺しゅうにかかる時間的、労働的負担を軽減する刺しゅう針を提供する。【解決手段】針の先端機能を本体１の両端に施すことにより左右両端のどちらからでも針を布に通すことが可能となり針の向きをその都度変える時間的、労働的負担を軽減することが可能となる。【選択図】図１
0003232557.tif 000002
【実用新案登録請求の範囲】
【請求項１】
刺しゅう針本体の両端を尖らせどちらからでも布に針を通すことが可能となるところを特徴とする刺しゅう針
【考案の詳細な説明】
【技術分野】
【０００１】  本考案は、本体両端を尖らせた針に関するものである。
【背景技術】
【０００２】  針は片方のみ尖っており、布の上下を行き来する刺しゅうの際、針の向きを変える必要があった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  刺しゅうする際、針の向きをその都度変えることは時間的、労働的負担である。従って、針の先端機能を本体両方に施すことにより前述の欠点を解決しようとするものである。
【課題を解決するための手段】
【０００６】  本考案は針の本体両端を尖らせることによりどちらからでも針を布に通すことを可能とし問題を解決している。
【考案の効果】
【０００７】  上述の様に、本考案の両端尖頭針は刺しゅうをする際に役立つ。
【図面の簡単な説明】
【０００８】
【図１】本考案の両端尖頭針の実施例を示す図である。
【考案を実施するための形態】
【０００９】針本体の針穴より糸を入れ布の下より針を通す。両端が尖頭なので上に出た針先の向きを変えることなくそのまま針を下におろし布に針を通し刺しゅうをすることが可能となる。
【実施例】
【００１０】以下、添付図面に従って一実施例を説明する。１は針本体、２は針穴、３は針尖頭、４は針尖頭。両先端を尖っていることによりどちらからでも布に針を通すことが可能となる。
【符号の説明】
【００１１】１  針本体
２  針穴
３  針尖頭
４  針尖頭
【図１】
0003232557.tif 000003
(57)【要約】      （修正有）【課題】耳の内部で測ることにより体の深部体温に近い温度として安定した体温を測ることができ、耳にかかった状態で計測する体温計を提供する。【解決手段】円盤状本体を耳にかぶせ、脇からでている留め金で、耳に掛けることができる構造となっている。これにより、脇で測る体温計のように筋肉の緊張を必要とすることもなく、また、両方の手も自由に使える状態で計測が可能となる。円盤状物の真ん中に突起を作り、突起の先端に金属で覆ったサーミスター５をつける。円盤状物の側面から螺旋状にのびた腕部１により耳にかけられるようにした耳掛け式体温計である。【選択図】図１
0003232580.tif 000002
【実用新案登録請求の範囲】
【請求項１】
円盤状物の真ん中に突起を作り、突起の先端に金属で覆ったサーミスターをつける。円盤状物の側面から螺旋状にのびた腕部により耳にかけられるようにした耳掛け式体温計
【考案の詳細な説明】
【技術分野】
【０００１】本体側面部分から螺旋状にのびる細い突起物により耳に掛けることができるようにした体温計である。
【背景技術】
【０００２】  従来からあるデジタル式の体温計は、細長く、脇の下に入れて体温を測る体温計や、手に持って耳で計る体温計といえる。
【考案の概要】
【考案が解決しようとする課題】
【０００３】  従来のデジタル式の体温計で、脇に挟む体温計で測ろうとすると、奥まできちんと入れないと正しい測定ができないことがある。またずっと脇を閉めたままで数分の間いなければならず、すごく煩わさを感じてしまいがちである。耳で測る従来品では、手で支えておかなければならず、これも煩わしさがある。
【課題を解決する手段】
【０００４】  本稿案は、円盤状本体を耳にかぶせ、脇からでている留め金で、耳に掛けることができる構造となっている。これにより、脇で測る体温計のように筋肉の緊張を必要とすることもなく、また、両方の手も自由に使える状態で計測が可能となる。
【考案の効果】
【０００５】  脇で測る体温計と比べても、耳の内部で測るため、より体の深部体温に近い温度として安定した体温を測ることができる。また、耳にかかった状態で計測しているため、両手を使って何かをやりながらでも十分に計測できる。
【図面の簡単な説明】
【０００６】
【図１】平面図（表）
【０００７】
【図２】平面図（裏）
【０００８】
【図３】平面図
【符号の説明】
【０００９】１  耳掛け用の腕          ２ボタン電池３  液晶画面              ４内部にマイコン装置５  金属キャップ  （内部にサーミスター）
【図１】
0003232580.tif 000003
【図２】
0003232580.tif 000004
【図３】
0003232580.tif 000005
【手続補正書】
【提出日】令和3年3月2日(2021.3.2)
【手続補正１】
【補正対象書類名】実用新案登録請求の範囲
【補正対象項目名】全文
【補正方法】変更
【補正の内容】
【実用新案登録請求の範囲】
【請求項１】
円盤状物の真ん中に突起を作り、突起の先端に金属で覆ったサーミスタを付け、円盤状物の側面かららせん状にのびた腕部により耳にかけられるようにした耳掛け式体温計。
(57)【要約】      （修正有）【課題】必要な電力を大幅に削減できるとともに、環境に対して十分に配慮し、しかも屋根への負荷を大幅に軽減し更に配管凍結を皆無にする融雪装置を提供する。【解決手段】屋根１００に積った雪Ｓを融雪除去する除雪装置は、傾斜積雪屋根１００の最上段又は最上段から多段に温風噴射管２００を配置し、温風噴射管２００は温風噴射ノズル３００を屋根１００の傾斜に沿って下流に向けて所定間隔で配置し、温風噴射管２００に温風を供給する温風供給装置５００を連結してなる。【選択図】図１
0003232588.tif 000002
【実用新案登録請求の範囲】
【請求項１】
傾斜積雪屋根の最上段又は最上段から多段に温風噴射管を配置し、前記温風噴射管は温風噴射ノズルを前記屋根の傾斜に沿って下流に向けて所定間隔で配置し、前記温風噴射管に温風を供給する温風供給装置を連結してなる除雪装置。
【考案の詳細な説明】
【技術分野】
【０００１】  本考案は、除雪装置に関する。
【背景技術】
【０００２】  従来の除雪装置は、凍結防止のために温水を常時噴出して屋根に積もる雪を溶かして流す構成であり、揚水ポンプ運転時や温水を保温するためには油や薪などの燃料及び常時電力が必要である。
このため、煙や二酸化炭素が放出され環境への配慮が十分ではない。
更に温水噴出管内の残留液の凍結による管破裂や詰まりによる散水不能等の障害が頻発する。
そこで上記温水噴出装置に代わって各種のスクレーパー式除雪機等の機械的な除雪装置が考案されている。しかしこれら機械的な除雪装置は屋根自体への負荷が大きく損傷が大きい。
【考案の概要】
【考案が解決しようとする課題】
【０００３】  本考案は必要な電力を大幅に削減できるとともに、環境に対して十分に配慮し、しかも屋根への負荷を大幅に軽減し更に配管凍結を皆無にする融雪装置を提供する。【０００４】
【課題を解決するための手段】
【０００５】  上記課題を満足させる本考案における主な技術構成は、次の（１）の通りである。
（１）、傾斜積雪屋根の最上段又は最上段から多段に温風噴射管を配置し、前記温風噴射管は温風噴射ノズルを前記屋根の傾斜に沿って下流に向けて所定間隔で配置し、前記温風噴射管に温風を供給する温風供給装置を連結してなる除雪装置。
【考案の効果】
【０００６】  本考案は、屋根に積もった雪を除雪に人の手を使わず、融雪用の温風を屋根の傾斜に沿って下流に向けて噴射することで雪を効率よく融かし屋根先から流下させることができるので屋根自体への負荷を大幅に軽減してその延命効果に大きく貢献すると共にヒトによる除雪作業は不要となり転落事故などの人災を防ぐ事ができる。また前記温風供給装置は地熱利用、温泉噴気利用、簡易ドライヤー等で温風を供給することが可能であり、油や薪などの燃料を用いる必要もない。さらに、温風噴射管や温風噴射ノズルにおける凍結を皆無にして必要なエネルギーを削減することができる等の優れた作用効果を有する。【０００７】
【図面の簡単な説明】
【０００８】
【図１】本考案の実施例を示す斜視説明図である。
【考案を実施するための形態】
【０００９】  本考案を実施するための形態を図１に示す実施例により詳細に説明する。
図１において、屋根１００に積った雪Ｓを融雪除去する除雪装置は、傾斜積雪屋根１００の最上段と中間段に或いは図示していないが最上段を含む多段に温風噴射管２００を配置し、各温風噴射管２００には温風噴射ノズル３００を前記屋根１００の傾斜に沿って下流に向けて所定間隔で配置し、前記温風噴射管２００は、供給元管４００を介し、外気を吸引して地熱利用、温泉噴気利用、簡易ドライヤー等で加温して温風を供給する温風供給装置５００に連結してなる。
これで本例の融雪装置は、前記温風供給装置に必要な電力を大幅に削減できるとともに、環境に対して十分に配慮し、しかも屋根への負荷を大幅に軽減するのである
【産業上の利用可能性】
【００１０】  本考案は、前述の優れた作用効果を呈して一般家庭では勿論、除雪業界及び建築産業に寄与と発展に貢献すること多大なものがある。
【符号の説明】
【００１９】
【図１】
0003232588.tif 000003
(57)【要約】      （修正有）【課題】着用者の首や肩の曲面にフィットして、窮屈感が少ないバイアス地仕立ての衣類を提供する。【解決手段】衣類は、概ね四角形の衣類であって、ショール、マフラー、スカーフ、ストール、ネックウォーマーのいずれかであり、衣類本体Ａの服地が、衣類の長手方向に対して、伸縮融通性が優れているバイアスの織地である。【選択図】図２
0003232532.tif 000002
【実用新案登録請求の範囲】
【請求項１】
衣類の内の概ね四角形のマフラー類（例えばショール，マフラー，スカーフ，ストール，ネックウォーマー）であって、該マフラー類本体の服地が、マフラー類の長手方向に対して、伸縮融通性が優れているバイアスの織地であることを特徴とする、バイアス地仕立てのマフラー類。
【考案の詳細な説明】
【技術分野】
【０００１】  本考案は、衣類の内の概ね四角形のマフラー類（例えばショール，マフラー，スカーフ，ストール，ネックウォーマー）であって、該マフラー類本体の服地が、マフラー類の長手方向に対して、バイアスの織地である、バイアス地仕立てのマフラー類に関する。
【背景技術】
【０００２】  従来の概ね四角形の織地のマフラー類は、長手方向に対して、縦地仕立て又は横地仕立てであり、長手方向の伸縮融通性が乏しいので、着用者の首と肩の曲面にフィットしにくく、窮屈に感じる人もいる。特許文献１，２のストールは、長手方向に対して、伸縮融通性が優れているバイアス地が使用されているが、全形が概ね三角形であるので、視覚的なスリム効果があるが、防寒効果は体を包む面積が広い本考案の四角形のストールが優れている。
【先行技術文献】
【特許文献】
【０００３】
【特許文献１】特開平１１−１０７０２０号公報
【特許文献２】登録実用新案第３１０５９１８号公報
【考案の概要】
【考案が解決しようとする課題】
【０００４】衣類の内の概ね四角形のマフラー類（例えば、ショール，マフラー，スカーフ，ストール，ネックウォーマー）であって、着用者の首や肩の曲面に自然にフィットして窮屈感が少ない、織地のマフラー類を提供する。
【課題を解決するための手段】
【０００５】  伸縮融通性が優れているバイアス地の特徴を利用して、マフラー類本体の服地には、マフラー類の長手方向に対して、バイアスの織地を使用し、該マフラー類本体に縫製（例えば、縫合，絎け縫い，縁飾り）を施す場合は、マフラー類本体の伸縮融通性を妨げない縫製（例えば，巻きロック，ジグザグ縫い，千鳥絎け，バイアステープのパイピング等）を施す。
【考案の効果】
【０００６】マフラー類を、長手方向の伸縮融通性が優れているバイアス地仕立てにすることで、着用者の首や肩の曲面に自然にフィットして、窮屈感が少ないマフラー類になる。
【図面の簡単な説明】
【０００７】
【図１】マフラー類本体周縁部に、縫合を施した部分の実施例の斜視図。
【図２】マフラー類本体周縁部に、絎け縫いを施した部分の実施例の斜視図。
【図３】マフラー類本体周縁部に、縁飾りを施した部分の実施例の斜視図。
【考案を実施するための形態】
【０００８】衣類の内の概ね四角形のマフラー類（例えば、ショール，マフラー，スカーフ，ストール，ネックウォーマー）であって、マフラー類本体Ａの服地には、マフラー類の長手方向に対して、伸縮融通性が優れているバイアスの織地を使用し、該マフラー類本体Ａに縫製（例えば、縫合，絎け縫い，縁飾り）を施す場合は、マフラー類本体Ａの伸縮融通性を妨げない縫製（例えば，巻きロック，ジグザグ縫い，千鳥絎け，バイアステープのパイピング等）を施す。
【実施例】
【０００９】  添付図面に従って実施例の説明をするが、本考案はこれらに限定されるものではない。図１〜図３において、マフラー類本体Ａの服地には、マフラー類本体Ａの長手方向に対して、バイアスの織地を使用する。Ｔは経糸方向を、Ｙは緯糸方向を示す。
図１は、マフラー類（実施例はネックウォーマー）本体周縁部Ｂに縫合Ｂ１を施した場合の実施例であって、マフラー類本体周縁部Ｂの縫合Ｂ１には、マフラー類本体Ａの伸縮融通性を妨げない縫合Ｂ１（実施例ではジグザグ縫い）を施す。
図２は、マフラー類本体周縁部Ｂに絎け縫いＢ２を施した場合の実施例であって、マフラー類本体周縁部Ｂの絎け縫いＢ２には、マフラー類本体の伸縮融通性を妨げない絎け縫いＢ２（実施例では、千鳥絎け）を施す。
図３は、マフラー類本体周縁部Ｂに、縁飾りＢ３を施した場合の実施例であって、マフラー類本体周縁部Ｂの縁飾りＢ３には、マフラー類本体の伸縮融通性を妨げない縁飾りＢ３（実施例では、バイアステープのパイピング）を施す。
【符号の説明】
【００１０】Ａ    マフラー類本体
Ｂ    マフラー類本体周縁部
Ｂ１  マフラー類本体周縁部の縫合
Ｂ２  マフラー類本体周縁部の絎け縫い
Ｂ３  マフラー類本体周縁部の縁飾り
Ｔ    経糸方向
Ｙ    緯糸方向
【図１】
0003232532.tif 000003
【図２】
0003232532.tif 000004
【図３】
0003232532.tif 000005
【手続補正書】
【提出日】令和3年2月21日(2021.2.21)
【手続補正１】
【補正対象書類名】実用新案登録請求の範囲
【補正対象項目名】全文
【補正方法】変更
【補正の内容】
【実用新案登録請求の範囲】
【請求項１】
ショール，マフラー，スカーフ，ストール，ネックウォーマーのいずれかである、概ね四角形の衣類であって、該衣類本体の服地が、衣類の長手方向に対して、伸縮融通性が優れているバイアスの織地であることを特徴とする、バイアス地仕立ての衣類。
(57)【要約】      （修正有）【課題】スペースを有効利用する組み立て式耐震ベッドを提供する。【解決手段】ベッド底ベース５にジョイント金具１６でフレーム６を組み付け、リブ７をリブ取り付け金具１４で取り付け、天井屋根８を天井取り付け金具１５で取り付け、頭部保護板と足部保護板を取り付けた、組み立て式耐震ベッドであって、運動器具をフレームの任意の箇所に溶接で取り付ける、又は、ボルトで脱着式に取り付けた運動器具を備える。【選択図】図１
0003232784.tif 000002
【実用新案登録請求の範囲】
【請求項１】
運動器具１０を備えた、組み立て式耐震ベッド１７
【考案の詳細な説明】
【考案の詳細な説明】
【技術分野】  この考案は、組み立て式の多目的使用型耐震ベッド１７である。
図面に基づいて説明すれば、ベッド底ベース５にジョイント金具１６でフレーム６を組付け、リブ７をリブ取り付け金具１４で取り付け、天井屋根８を天井取り付け金具１５で取り付け、頭部保護板９と足部保護板１２を取り付けた、組付け式耐震ベット１７である。
【背景技術】  従来の耐震ベッド１７は、就寝時に地震が発生した時、建物崩壊から、命を守る耐震ベッド１７である。しかし、スペースを有効利用できていなかった。
【考案が解決しようとする課題】
本考案は、耐震ベッド１７のスペースを有効利用するために、考案されたものである。
【考案が解決しようとする課題と手段】
運動器具１０等を備えることにより、耐震ベッド１７としてだけでなく、有効利用できる、耐震ベッド１７を提供するものである。
【考案を実施するための形態】
図面に従い説明すれば、図１は折りたたみ式机１が設置され、イス２を使用して、勉強部屋として、また書斎として使用できる。ふとん３は折りたたんでおいて、就寝するときは、折りたたみ式机１を折りたたみ、イス２は外によけ、ふとん３を敷き使用する
図２はふとん３を敷いて、人４が寝ている図である。
図３は、運動器具１０として、腹筋補助バーが設置されていて、人４が腹筋運動をしている図である。
図４は、運動器具１０として、腕力トレーニグ器が設置され、人４が、腕力トレーニングをしている図。
図５は、耐震ベッド１７の平面図である。
図６は、耐震ベッド１７の正面図である。
図７は、、押し入れ１３が設置されている、耐震ベッド１７の側面図である。
【考案の効果】
単なる耐震ベッド１７ではなく、運動ジム・書斎・勉強部屋・寝室など、有効に使用でき、地震時も大変安全な耐震ベッド１７である。
実施態様の他にも、いろいろな任意の運動器具１０の設置も考えられ、有効に耐震ベッド１７を使用することができる。
【図面の簡単な説明】
【図１】本考案の実施態様図であり、勉強部屋・書斎・寝室として使用時の図である。
【図２】本考案の耐震ベット１７として、使用時の図である。
【図３】本考案の実施態様図であり、腹筋運動をしている図。
【図４】本考案の実施態様図であり、腕力トレーニングをしている図。
【図５】本考案の平面図である。
【図６】本考案の正面図である。
【図７】本考案の実施態様図であり、押し入れ１３が設置されている側面図である。
【符号の説明】折りたたみ式机１  イス２  ふとん３  人４  ベッド底ベース５  フレーム６  リブ７  天井屋根８  頭部保護板９  運動器具１０  足部保護板１２  押し入れ１３  リブ取り付け金具１４  天井取り付け金具１５  ジョイント金具１６  耐震ベッド１７
【図１】
0003232784.tif 000003
【図２】
0003232784.tif 000004
【図３】
0003232784.tif 000005
【図４】
0003232784.tif 000006
【図５】
0003232784.tif 000007
【図６】
0003232784.tif 000008
【図７】
0003232784.tif 000009
【手続補正書】
【提出日】令和2年8月26日(2020.8.26)
【手続補正１】
【補正対象書類名】実用新案登録請求の範囲
【補正対象項目名】全文
【補正方法】変更
【補正の内容】
【実用新案登録請求の範囲】
【請求項１】
丸棒状腹筋補助バー運動器具（１０）をフレーム（６）に取り付け、及び、ばね付き引張り腕力トレーニグ器運動器具（１０）をフレームに取り付けた、運動器具１０を備えた、組み立て式耐震ベッド（１７）
【手続補正書】
【提出日】令和2年12月19日(2020.12.19)
【手続補正１】
【補正対象書類名】実用新案登録請求の範囲
【補正対象項目名】全文
【補正方法】変更
【補正の内容】
【実用新案登録請求の範囲】
【請求項１】
運動器具（１０）をフレーム（６）の任意の箇所に溶接で取り付けた、又は、ボルトで脱着式取り付けした、運動器具（１０）を備えた、組み立て式耐震ベッド（１７）
【手続補正書】
【提出日】令和3年3月15日(2021.3.15)
【手続補正１】
【補正対象書類名】実用新案登録請求の範囲
【補正対象項目名】全文
【補正方法】変更
【補正の内容】
【実用新案登録請求の範囲】
【請求項１】
ベッド底ベース（５）にジョイント金具（１６）でフレーム（６）を組み付け、リブ（７）をリブ取り付け金具（１４）で取り付け、天井屋根（８）を天井取り付け金具（１５）で取り付け、頭部保護板（９）と足部保護板（１２）を取り付けた、組み立て式耐震ベッド（１７）であって、運動器具（１０）をフレーム（６）の任意の箇所に溶接で取り付けた、又は、ボルトで脱着式取り付けした、運動器具（１０）を備えた、組み立て式耐震ベッド（１７）。
(57)【要約】      （修正有）【課題】着物自装時に用意するものを分かりやすく明記し、着付け手順の複雑さを軽減する風呂敷を提供する。【解決手段】風呂敷形状の布の四辺に成人女性の代表的な四種類の帯結びに使用する着付け小物を着付け時に使用する順番に手順１〜４を明記する。記された通りに着付け小物を着用前に配置し、その順番に従って着付けをすると着物の着付けや、帯結びを迷わず簡単に自分で出来る。また、着物で出かける際に必要な物がピクトグラム、文字で表記されているのでそれに添って簡単に必要な物が用意出来る。【選択図】図１
0003232738.tif 000002
【実用新案登録請求の範囲】
【請求項１】
正方形の布の四辺に、成人女性の一般的な帯結び４種類に使用する着付け小物の名称を使用する順番に明記し、記された通りに着付け小物を着用前に配置し、その順に従って着付けを行うことにより手順に迷うことなく着物、帯の自装が可能になることを特徴とする風呂敷。
【請求項２】
着物を着て出掛ける際、沢山の物が必要となるので着物、帯、長襦袢、草履、バックなど必要な物をピクトグラムと文字で明記することにより、事前の用意が明確にかつ簡単になることを特徴とする請求項１記載の風呂敷。
【考案の詳細な説明】
【技術分野】
【０００１】本考案は風呂敷に関するものである。
【背景技術】
【０００２】日本に古来から伝わる伝統衣装である着物を自分で着ることが出来る人が、手順が複雑なため減少している。着付け、帯結びの手順が複雑で覚えにくく、かつ何を用意すれば良いかも覚えにくい事が要因の一つである。
【考案の概要】
【考案が解決しようとする課題】
【０００３】日本に古来から伝わる伝統衣装である着物を自分で着ることが出来る人が、手順が複雑なため減少している。本考案は着物自装時に用意するものを分かりやすく明記し着付け手順の複雑さを軽減する風呂敷を提供することで、着物を自分で着ることが出来る人を増やす。
【課題を解決するための手段】
【０００４】着物の着付けの手順の複雑さを克服するため、着付け小物などを収納するために利用する風呂敷形状の布の四辺に、成人女性の一般的な帯結び４種類に使用する着付け小物の名称を、使用する順番に明記する。
記された通りに着付け小物を配置し、その順に従って着付けを行うことにより、手順に迷うことなく着物の自装が可能になる。
【考案の効果】
【０００５】着物の着付けの手順が解らず、または覚えられず自装をあきらめていた人も、風呂敷に明記された物を用意し、用意され置いてある物の順に従い身に付ければ良いので、多くの人が自分で簡単に着物を着ること出来るようになる。
発案者が試作品を作成し、着付け手順に自信のない方に数名試用してもらい不安の軽減や、着付け時間の短縮の効果を実証済【０００６】また、着物を着用し外出する際に必要な道具もピクトグラムで明記されているのでそれに従って事前に道具を用意することで着物着用時に慌てることや、着物での外出を躊躇することがなくなる。
【産業上の利用の可能性】
【０００７】着物を自装出来る人が増え、着物に対する興味がこれまで以上に増し、着物呉服産業の発展、生産者の発展、伝統技能、伝統文化の技術継承、発展が可能。
【図面の簡単な説明】
【０００８】
【図１】成人女性が着物を着用し帯を結ぶ際に必要な着付け小物の名称を、使用する順番にかつ小物の大きさの幅に合わせて、布の各辺に一種類ずつ帯結びに合わせて明記した風呂敷の平面図。
【図２】着物で外出する際に必要となるものを事前に簡単に用意できるよう、誰もが見やすいピクトグラムと文字で表記した風呂敷の平面図。
【符号の説明】
【０００９】１、名古屋帯で一重太鼓を結ぶ際に必要な小物の順番を明記。
２、付け帯、作り帯を結ぶ際に必要な小物の順番を明記。
３、名古屋帯で角出し結び、銀座結びを結ぶ際に必要な小物の順番を明記。
４、袋帯で二重太鼓を結ぶ際に必要な小物の順番を明記。
５、着物で外出する際に必要となるものをピクトグラムと文字で表記。
【考案を実施するための形態】
【００１０】端を処理し風呂敷状に加工した四方の布の四辺に、成人女性が締める代表的な帯結びに使用する小物の名称を物の幅に合わせて明記。また外出時に必要となるものをピクトグラムと文字で表記。反応染加工、昇華転写印刷加工、刺繍などで布上に表記する。
【実施例】
【００１１】７０ｃｍ×７０ｃｍ、９０ｃｍ×９０ｃｍ、１１０ｃｍ×１１０ｃｍの綿、ポリエステル、ウール素材で比較実験。
適度な重量、しわにならない扱いやすさ、文字ピクトクラムの明瞭さ、着付け小物の置きやすさ、洗濯可能など鑑みた結果、９０ｃｍ×９０ｃｍ、ポリエステルメロンアムンゼン素材、昇華転写印刷が最適であった。
【図１】
0003232738.tif 000003
【図２】
0003232738.tif 000004
(57)【要約】      （修正有）【課題】水切りを促進する形状の風呂ふたを提供する。【解決手段】複数の縦長のパネルの長辺部を連結した構造を持つシャッタータイプ風呂ふたや折りたたみ式の風呂ふたにおいて、構成する複数の縦長のパネルのうち、ふたの側面となる短辺部の両端を、俯瞰では幅広のガウス曲線型に、底面は曲線の突端部分に向かってそり上がる形状で張り出させた形状の縦長のパネルを３つ以上、隣り合わない等間隔で長辺部を連結した風呂ふた。【選択図】図１
0003232732.tif 000002
【実用新案登録請求の範囲】
【請求項１】
複数の縦長のパネルの長辺部を連結した構造を持つシャッタータイプ風呂ふた（巻きふた、ロールふたとも呼ばれる）や折りたたみ式の風呂ふたにおいて、構成する複数の縦長のパネルのうち、ふたの側面となる短辺部の両端を、張り出させた形状の縦長のパネルを３つ以上、隣り合わない間隔で長辺部を連結する。
【考案の詳細な説明】
【技術分野】
【０００１】
本発明は、風呂ふたに関する。さらに詳しくは、風呂ふた自体の水切りを促進する形状に関する。
【考案の概要】
【考案が解決しようとする課題】
【０００２】
複数の縦長のパネルの長辺部を連結した構造を持つシャッタータイプ風呂ふた（巻きふた、ロールふたとも呼ばれる）や、折りたたみ式の風呂ふたは、風呂ふた自体の洗浄後、自立できる程度に緩く巻いたり、たたんだ状態で、床に立てて乾かすが、床への接地する端部分の水切れが遅く、巻き込まれて内側になった面は通気性が悪く、乾きにくい。
【課題を解決するための手段】
【０００３】
複数の縦長のパネルの長辺部を連結した構造を持つシャッタータイプ風呂ふた（巻きふた、ロールふたとも呼ばれる）や折りたたみ式の風呂ふたにおいて、構成する複数の縦長のパネルのうち、ふたの側面となる短辺部の両端を、俯瞰では幅広のガウス曲線型に、底面は曲線の突端部分に向かってそり上がる形状で張り出させた形状の縦長のパネルを３つ以上、隣り合わない等間隔で長辺部を連結する。
【図面の簡単な説明】
【０００４】
【図１】風呂ふたを構成する縦長のパネルのうち、３つ以上を隣り合わないパネルの短辺部の両端を、俯瞰では幅広のガウス曲線型に、底面は曲線の突端部分に向かってそり上がる形状で張り出させている。
【図２】風呂ふたを緩く巻いた状態で、床に立てた場合、ふたを構成するいくつかの縦長のパネルの短辺部の張出が足となり、床との接地面を減らし、巻いたふたの内側への空気の流れを妨げない。
【図３】ふたを構成するいくつかの縦長のパネルの短辺部の張出により、壁とふたとの間に空間が作られ、壁との設置面積を減らすことにより、通気を促進し、カビの発生の防止に寄与する。
【図４】構成する縦長のパネルが［図１］のパネルより幅が広い形状の風呂ふた。
【図５】［図４］の風呂ふたを立てたイメージ。
【考案を実施するための形態】
【０００５】
複数の縦長のパネルの長辺部を連結した構造を持つシャッタータイプ風呂ふた（巻きふた、ロールふたとも呼ばれる）や折りたたみ式の風呂ふたにおいて、構成する複数の縦長のパネルのうち、ふたの側面となる短辺部の両端を、俯瞰では幅広のガウス曲線型に、底面は曲線の突端部分に向かってそり上がる形状で張り出させた形状の縦長のパネルを３つ以上、隣り合わない等間隔で長辺部を連結する。
【図１】
0003232732.tif 000003
【図２】
0003232732.tif 000004
【図３】
0003232732.tif 000005
【図４】
0003232732.tif 000006
【図５】
0003232732.tif 000007
【手続補正書】
【提出日】令和3年5月3日(2021.5.3)
【手続補正１】
【補正対象書類名】実用新案登録請求の範囲
【補正対象項目名】請求項１
【補正方法】変更
【補正の内容】
【請求項１】
複数のパネルを連結した構造を持つシャッタータイプ風呂ふた（巻きふた、ロールふたとも呼ばれる）や折りたたみ式の風呂ふたにおいて、ふたの側面に位置する両辺もしくは片辺の一部もしくは全体を山型に張り出させた形状のパネルを連結した風呂ふた。
【手続補正２】
【補正対象書類名】明細書
【補正対象項目名】０００４
【補正方法】変更
【補正の内容】
【０００４】
【図１】風呂ふたを構成する縦長のパネルのうち、３つ以上を隣り合わないパネルの短辺部の両端を、俯瞰では幅広のガウス曲線型に、底面は曲線の突端部分に向かってそり上がる形状で張り出させている。
【図２】風呂ふたを緩く巻いた状態で、床に立てた場合、ふたを構成するいくつかの縦長のパネルの短辺部の張出が足となり、床との接地面を減らし、巻いたふたの内側への空気の流れを妨げない。
【図３】ふたを構成するいくつかの縦長のパネルの短辺部の張出により、壁とふたとの間に空間が作られ、壁との設置面積を減らすことにより、通気を促進し、カビの発生の防止に寄与する。
【図４】構成する縦長のパネルが［図１］のパネルより幅が広い形状の風呂ふた。
【図５】［図４］の風呂ふたを立てたイメージ。
【図６】構成するパネルが2枚の風呂ふた
【図７】［図６］の風呂ふたを立てたイメージ
【手続補正３】
【補正対象書類名】図面
【補正対象項目名】図６
【補正方法】追加
【補正の内容】
【図６】
0003232732.tif 000008
【手続補正４】
【補正対象書類名】図面
【補正対象項目名】図７
【補正方法】追加
【補正の内容】
【図７】
0003232732.tif 000009
(57)【要約】      （修正有）【課題】重ねにくい楽器を整理整頓して収納でき、清掃しやすい幼児用楽器庫を提供する。【解決手段】複数の楽器入れ２からなる幼児用楽器庫１であって、楽器入れ２は棚板２１と隔て板からなり、奥板１３から１０センチ程度の隔て板で楽器が整理整頓され収納でき、棚板２１と奥板１３の間に隙間を設けることにより、埃を下へ落として掃除をし易くした。【選択図】図２
0003232736.tif 000002
【実用新案登録請求の範囲】
【請求項１】
複数の楽器入れからなる楽器庫であって、楽器入れは棚板と隔て板からなり、奥板から１０センチ程度の隔て板で楽器が整理整頓され収納できることを特徴とした幼児用楽器庫。
【請求項２】
棚板と奥板の間に隙間を設けることにより、埃を下へ落として掃除をし易くしたことを特徴とする請求項１記載の幼児用楽器庫。
【考案の詳細な説明】
【技術分野】
【０００１】本考案は木製の楽器庫に関する。
【背景技術】
【０００２】園児が使う楽器（ピヤニカ）を整理整頓の上収納したい。
【考案の概要】
【考案が解決しようとする課題】
【０００３】園児が使う楽器（ピヤニカ）は収納する場合重ねにくく崩れやすい、崩れた場合園児が怪我をする場合がある。また隔て板で囲まれた奥隅は埃が溜まりやすい。
【課題を解決するための手段】
【０００４】複数の楽器入れからなる楽器庫であって、楽器入れは棚板と隔て板からなり、奥板から１０センチ程度の隔て板で楽器が整理整頓され収納できることを特徴とした幼児用楽器庫。【０００５】棚板と奥板の間に隙間を設けることにより、埃を下へ落として掃除をし易くしたことを特徴とする請求項１記載の幼児用楽器庫。
【考案の効果】
【０００６】楽器入れは隔て板で崩れることなく収納できて、奥隅の埃は最下段のみ清掃すればよいので時間と手間がかからなくなる。
【図面の簡単な説明】
【０００７】
【図１】本考案の楽器庫の構成（斜視図）
【図２】本考案の楽器庫の構成（断面図）
【考案を実施するための形態】
【０００８】図１は本考案の楽器庫の構成（斜視図）である。
楽器庫１は、上板１１、底板１２、奥板１３、側板１４からなり、表面が開口された直方体の箱で、その箱は楽器を入れるための棚板２１と、隔て板２２で区切られている。
【０００９】図２は本考案の楽器庫の構成（断面図）である。
楽器入れ２は、棚板２１と、隔て板２２で区切られていて棚板２１には楽器３をいれる。
各棚板２１と奥板１３の間には埃を落とせる隙間２１１を設ける。奥の隙間から最下段へ落下した埃４を清掃する。
【産業上の利用可能性】
【００１０】整理整頓された収納と、清掃しやすい楽器庫を提供する。
【符号の説明】
【００１１】１  楽器庫
１１  上板
１２  底板
１３  奥板
１４  側板
２  楽器入れ
２１  棚板
２１１  隙間
２２  隔て板
３  楽器（ピヤニカ）
４  埃
【図１】
0003232736.tif 000003
【図２】
0003232736.tif 000004